(57)【要約】      （修正有）【課題】ビルや鉄塔などの建造物の建設・修理などに当たり建造物と適宜の間隔をおいて枠組みされた仮設足場に設置して、作業者や通行人などを安全に保護する。【解決手段】互いに間隔をおいて平行に配置した一対の縦枠２の一端部乃至中間部に直交する一対の横枠３をそれぞれ間隔をおいて連結し、前記一対の縦枠２及び横枠３で囲まれる部分に網体４を設けた網付き枠体を形成し、前記網付き枠体の両縦枠２に板状係止部５を左右の取付位置が前記横枠３に対して平行になるように互いに反対方向に向けて設けるとともに、前記網付き枠体の両縦枠２に建地装着用の装着部６を反対方向に向けて設け、前記一対の各縦枠２の一端に他端の係止孔８が係合可能な突起部７をそれぞれ設けてなる。【選択図】図１
2011163070.tif 000002
【特許請求の範囲】
【請求項１】
互いに間隔をおいて平行に配置した一対の縦枠の一端部乃至中間部に直交する一対の横枠をそれぞれ間隔をおいて連結し、前記一対の縦枠及び横枠で囲まれる部分に網体を設けた網付き枠体を形成し、前記網付き枠体の両縦枠に板状係止部を左右の取付位置が前記横枠に対して平行になるように互いに反対方向に向けて設けるとともに、前記網付き枠体の両縦枠に建地装着用の装着部を反対方向に向けて設け、前記一対の各縦枠の一端に他端の係止孔が係合可能な突起部をそれぞれ設けたことを特徴とする仮設足場用の先行安全保護装置。
【請求項２】
前記仮設足場用の先行安全保護装置を仮設足場の建地と建地の間にそれぞれ配置するとともに、前記板状部を仮設足場のブレス係止用ピンに係止し、前記突起部を隣接する枠体の縦枠の係止孔にそれぞれ係合させて複数の前記先行安全保護装置を上下方向にそれぞれ着脱自在に連設するとともに、前記装着部により縦枠を仮設足場の建地にそれぞれ着脱自在に装着してなることを特徴とする請求項１記載の仮設足場用の先行安全保護装置。
【請求項３】
前記仮設足場用の先行安全保護装置において、前記先行安全保護装置を仮設足場に取付けたときに前記網付き枠体の下方の横枠が仮設足場の足場板の高さ近辺に設置されるように、前記両縦枠の各板状係止部が、前記横枠に対して足場板とブレス係止用ピンの離間距離分下方に位置するように設けてなることを特徴とする請求項１または２記載の仮設足場用の先行安全保護装置。
【請求項４】
前記仮設足場用の先行安全保護装置において、前記板状係止部が、ブレス係止用ピンを貫通するピン孔を穿設してなることを特徴とする請求項１〜３の何れかに記載の仮設足場用の先行安全保護装置。
【請求項５】
前記仮設足場用の先行安全保護装置において、前記装着部が、縦枠の建地側に補助片を固着し、この補助片を２枚のフラットバーで両側から挟むようにして補助片に回転可能に係止し、前記２枚のフラットバーの先端部に建地挿入部を設け、前記２枚のフラットバーが設定位置で停止する回転止めを設けたことを特徴とする請求項１〜４の何れかに記載の仮設足場用の先行安全保護装置。
【発明の詳細な説明】
【技術分野】
【０００１】
本発明は、ビルや鉄塔などの建造物の建設・修理などに当たり建造物と適宜の間隔をおいて枠組みされた仮設足場に設置して、作業者や通行人などを安全に保護するための先行安全保護装置に関する。
【背景技術】
【０００２】
従来、ビルや鉄塔などの建造物の建設・修理などに当たり、枠組みされた仮設足場の建地と建地の中間部に足場板を橋架するとともに、足場板と平行に手すり用のパイプの他に巾木を取り付けることが義務づけられている。しかし、これらパイプや巾木の取付け、とりわけ巾木は番線を使用してパイプに結束するので手間がかかるばかりではなく、これらの取付け作業は落下防止柵等がない状態で作業をしなければならず常に危険を伴う問題があった。また、従来の手すり用のパイプは９００ｍｍ位の巾に１〜２本架設するだけで足場板との間隔が空きすぎるために、作業者が誤って落下したり、或いは上方からの落下物により通行人を巻き添えにするなどの危険性が高く問題であった。また、作業者等の安全対策として仮設足場の建地に取り付ける保護網体の発明が開示されている（特許文献１）。
【先行技術文献】
【特許文献】
【０００３】
【特許文献１】実開平７−３８４５２号公報
【発明の概要】
【発明が解決しようとする課題】
【０００４】
しかし、特許文献１に記載された保護網体の発明は、網体の上端を直角に折り曲げて、その網目に建地を通して簡単に取り付けられるものの、網体に負荷がかかったときに網体の線材のみでは負荷を支えきれずに落下したり変形する恐れがあり、また、手すりに相当するパイプがないために作業者が足場板を渡るときに不便であり或いは不安感を覚えるなどの問題がある。前記の問題点を解消するために、本発明者は鋭意研究した結果、先行安全保護装置を建地に装着する際に突起部で仮止めすることによって作業者の落下防止柵となることを知見して本願発明に想到したものであり、本願発明の主たる目的は、安全保護装置を建地に装着する際に作業者の落下を防止できて、しかも、網体の強度を向上するとともに極めて簡単に取り付け可能な仮設足場用の先行安全保護装置を提供することにある。
【課題を解決するための手段】
【０００５】
前記の課題を解決するために、本発明は、互いに間隔をおいて平行に配置した一対の縦枠の一端部乃至中間部に直交する一対の横枠をそれぞれ間隔をおいて連結し、前記一対の縦枠及び横枠で囲まれる部分に網体を設けた網付き枠体を形成し、前記網付き枠体の両縦枠に板状係止部を左右の取付位置が前記横枠に対して平行になるように互いに反対方向に向けて設けるとともに、前記網付き枠体の両縦枠に建地装着用の装着部を反対方向に向けて設け、前記一対の各縦枠の一端に他端の係止孔が係合可能な突起部をそれぞれ設けたことを特徴とする仮設足場用の先行安全保護装置とする（請求項１）。
【０００６】
また、前記の課題を解決するために、本発明は、前記仮設足場用の先行安全保護装置を仮設足場の建地と建地の間にそれぞれ配置するとともに、前記板状部を仮設足場のブレス係止用ピンに係止し、前記突起部を隣接する枠体の縦枠の係止孔にそれぞれ係合させて複数の前記先行安全保護装置を上下方向にそれぞれ着脱自在に連設するとともに、前記装着部により縦枠を仮設足場の建地にそれぞれ着脱自在に装着してなることを特徴とする前記の仮設足場用の先行安全保護装置とすることが好ましい（請求項２）。
【０００７】
また、前記の課題を解決するために、本発明は、前記仮設足場用の先行安全保護装置において、前記先行安全保護装置を仮設足場に取付けたときに前記網付き枠体の下方の横枠が仮設足場の足場板の高さ近辺に設置されるように、前記両縦枠の各板状係止部が、前記横枠に対して足場板とブレス係止用ピンの離間距離分下方に位置するように設けてなることを特徴とする前記の仮設足場用の先行安全保護装置とすることが好ましい（請求項３）。
【０００８】
また、前記の課題を解決するために、本発明は、前記仮設足場用の先行安全保護装置において、前記板状係止部が、ブレス係止用ピンを貫通するピン孔を穿設してなることを特徴とする前記の仮設足場用の先行安全保護装置とすることが好ましい（請求項４）。
【０００９】
また、前記の課題を解決するために、本発明は、前記仮設足場用の先行安全保護装置において、前記装着部が、縦枠の建地側に補助片を固着し、この補助片を２枚のフラットバーで両側から挟むようにして補助片に回転可能に係止し、前記２枚のフラットバーの先端部に建地挿入部を設け、前記２枚のフラットバーが設定位置で停止する回転止めを設けたことを特徴とする前記の仮設足場用の先行安全保護装置とすることが好ましい（請求項５）。
【発明の効果】
【００１０】
本発明に係る先行安全保護装置は、突起部及び板状係止部で安全保護装置を一旦建地に仮止めしてから建地に装着する先行方式によるので先行安全保護装置の取付け時の作業者の落下が防止できる。また、縦枠と横枠からなる枠体に網体を固着した構成からなるので、落下物などの負荷に対しても枠体が支えて落下を防止し、かつ耐久性がある。また、網体に直接衝撃がかかっても、網体自体が縦枠と横枠に固着されているので破壊や変形がし難い。縦枠の中間部に設けた板状係止部を仮設足場のブレス係止用ピンに係止すれば、先行安全保護装置の取付高さが足場板とほぼ平行に設定され、枠体が手すりの機能を果たすので安心感と安全が保たれる効果を奏する。更に、構造がシンプルであり、突起部を相手の縦枠の係止孔に係合して連設しつつ装着部で建地に係止するだけで極めて簡単に組立装着できるので装着時の手間が省け経済的にも優れている。
【図面の簡単な説明】
【００１１】
【図１】（ａ）は本発明の第１実施の形態に係る先行安全保護装置を示す正面図であり、（ｂ）は図１における縦枠の先端に形成される突起部を示す部分拡大図である。
【図２】本発明の第２実施の形態に係る先行安全保護装置の板状係止部の平面視説明図である。
【図３】図２の背面視説明図である。
【図４】本発明の第２実施の形態に係る先行安全保護装置の装着部の平面視説明図である。
【図５】図４の背面視説明図である。
【図６】本発明の第１実施の形態に係る先行安全保護装置の板状係止部の平面視説明図である。
【図７】図６の背面視説明図である。
【図８】本発明の第１実施の形態に係る先行安全保護装置を仮設足場に取り付けた状態を示す正面図である。
【発明を実施するための形態】
【００１２】
本発明を実施するための形態（以下「実施の形態」と称する）について、図面に基づいて以下に詳細に説明する。しかし、本発明は、かかる実施の形態に限定されるものではない。図１は第１実施の形態に係る先行安全保護装置を示す図であり、図２及び３は本発明の第２実施の形態に係る先行安全保護装置の板状係止部の説明図であり、図４及び５は本発明の第２実施の形態に係る先行安全保護装置の装着部の説明図であり、図６及び７は本発明の第１実施の形態に係る先行安全保護装置の板状係止部の説明図であり、図８は第１実施の形態に係る先行安全保護装置を仮設足場に取り付けた状態を示す正面図である。
【００１３】
図１において、１は本願発明の第１実施の形態に係る仮設足場用の先行安全保護装置の一例を示すものであり、この先行安全保護装置１は、互いに間隔をおいて平行に配置した一対の縦枠２，２の一端部と中間部に直交する一対の横枠３，３をそれぞれ間隔をおいて連結し、前記一対の縦枠２，２及び横枠３，３で囲まれる範囲に網体４を設けた網付き枠体を形成し、前記網付き枠体の両縦枠の中央寄りに板状係止部５，５を前記横枠に対して平行になる位置に互いに反対方向に向けて設けるとともに、前記網付き枠体の両縦枠の下方寄りにクランプ等の装着部６，６を互いに段違いになるように取付位置を互いにずらして反対方向に向けて設け、前記一対の各縦枠の一端に他端の係止孔が係合可能な突起部７，７をそれぞれ設けてなる。
【００１４】
本実施の形態に用いられる縦枠２，２及び横枠３，３の素材は、負荷に耐える強度を有する限りにおいて特に限定されないが、鉄、ステンレス鋼、アルミニウム、ジュラルミン等の金属製パイプが好ましい。縦枠２，２は互いに平行に配置され、この縦枠２，２の一端近傍と中間部に横枠３，３を溶接等で固着する。網体４を設ける範囲、つまり横枠３，３の間隔は安全保護柵の機能を備える限り特に限定されないが、縦枠２の長さの半分位、ほぼ９００ｍｍ前後の範囲で網体の寸法に応じて選択するのが好ましい。横枠の取付位置は特に限定されないが、仮設足場への取付作業性やハンドリング等を考慮すれば一方の横枠を縦枠の一端寄りに配置するのが好ましい。また、金属製パイプとして断面が矩形状の角パイプを用いれば、前記縦枠の上端寄り及び中間部にそれぞれ横枠を縦枠の対向面に挟持したときに横枠の切断面が縦枠の側面にピッタリと当接するので見栄えが良く且つ溶着強度が増し特に好ましい。この一対の縦枠２，２及び横枠３，３で囲まれる範囲に網体４を溶接などで固着する。網体４は特に限定されないが、例えば、太さが約３〜７ｍｍ、網目のピッチが１００〜１５０ｍｍ位の金属製のワイヤーメッシュと称するものが好ましい。
【００１５】
本実施の形態に係る仮設足場用の先行安全保護装置１の縦枠２，２の両脚部中央寄りには図１（ａ）に示すように板状係止部５が設けられている。第１実施の形態における板状係止部５は、図６及び７に示すように、フラットバー１１と称する金属製の板状片を縦枠２，２に直交する方向にそれぞれ溶接等で固着したものである。この板状係止部５は、先行安全保護装置１を仮設足場に装着する際に上下方向の位置決めの基準となる。つまり、建地の足場板１７の下方に位置するブレス係止用ピン１０に前記板状係止部５を係止すると、前記下方の横枠３が足場板１７とほぼ同じ高さか足場板１７より若干上方に位置するように構成される（図８参照）。しかも、左右の板状係止部５，５を前記横枠３に対して平行な位置に設けておけば、先行安全保護装置１は常に足場板１７と平行に設定されることとなる。ここで、前記ブレス係止用ピン１０は、図６及び７に示すように建地１３に溶接部１８にて固定されたており、ブレス１２を着脱自在に係合するとともに不意に抜けることがないようにロック機構を備えているものが好ましい（図示せず）。
【００１６】
また、前記先行安全保護装置の網付き枠体の大きさは仮設足場の構造に応じて設計される。即ち、ビティ足場と称される主たる仮設足場には、建地と建地の間隔が約１８００ｍｍ、１５００ｍｍ、１２００ｍｍ、９００ｍｍ及び６００ｍｍの５種類あり、この建地間隔に応じて幅が異なる先行安全保護装置１をそれぞれ準備することが好ましい。ただし、先行安全保護装置１とこれを取り付ける建地との距離は一定であるので、先行安全保護装置１の幅が異なっても縦枠２，２、及び縦枠に取り付ける縦突起部、板状係止部及び固定具等は共通のものが使用可能である。
【００１７】
前記縦枠の一端に設けられる突起部７，７は、図１（ｂ）に示すように、縦枠２，２のパイプの係止孔８，８に嵌合可能な丸棒を６０ｍｍ位の長さに切断したものをパイプの端部から先端が約３０ｍｍ位突出した状態でパイプに埋め込んで溶接等で固着して形成する。素材は特に限定されないが前記パイプの素材に挙げた金属製のものが好ましい。先行安全保護装置１の高さ、即ち縦枠２，２の長さは、足場板が設置される高さ方向のピッチと概ね同等若しくは溶接部を勘案して多少短く設計してもよい。
【００１８】
次に、本願発明の第２実施の形態に係る先行安全保護装置１について説明する。第２実施の形態に係る先行安全保護装置１は、前記第１実施の形態に係る先行安全保護装置１において、前記板状係止部５のフラットバーに代えて、図２及び３に示すように、フラットバー１１を少し内側に曲げて建地１３のブレス係止用ピン１０に当接する位置にピン孔９を穿設し、このピン孔９に建地のブレス係止用ピン１０を差し込んで係止し、更に、前記装着部６のクランプに代えて、図４及び５に示すように、縦枠２（角パイプ）の建地側に縦枠と同サイズのパイプを切断してなる補助片１４を溶接等で固着し、この補助片１４を２枚のフラットバー１１，１１で両側から挟むようにして補助片１４に装着部係止用ピン１５で回転可能に係止し、片側又は両側のフラットバー１１の先端部を建地が挿入可能なほどに曲げ拡げて建地挿入部１９を形成するとともに、補助片側のフラットバー底部に回転止め１６を設けた、以外は前記第１実施の形態に係る先行安全保護装置１と同様である。
【００１９】
第２実施の形態に係る先行安全保護装置１は、前記装着具６のフラットバー１１の先端を上方に持ち上げた状態で建地１３に隣接してフラットバー１１の先端を押し下げるだけで建地１３を２枚のフラットバー１１，１１の間に挟み込んで装着するので、クランプを使用するよりも簡単に建地に装着可能となる。また、前記第１実施の形態に係る先行安全保護装置１において、前記板状係止部５または装着部６の中の何れか一方を前記第２実施の形態に係る先行安全保護装置１に用いた板状係止部５または装着部６に置き換えた先行安全保護装置１も本願発明に含まれる。
【実施例】
【００２０】
次に、前記の第１実施の形態に基づき作成した実施例に係る仮設足場用の先行安全保護装置について説明する。前記建地と建地の間隔が１８００ｍｍの仮設足場に取り付ける先行安全保護装置を実施例として作成し、非公開で仮設足場に取り付けて確認した。縦枠と横枠は、ともに肉厚が１．６ｍｍ、外寸が３０×３０ｍｍの断面が正方形の鋼製角パイプを用いた。縦枠の長さが１７２０ｍｍで、幅が外寸で１６９０ｍｍの網付き枠体を形成し、縦枠の上端部にそれぞれ３０ｍｍ長の縦突起部を形成した。更に、両縦枠中間部近辺に肉厚６ｍｍ、幅６０ｍｍの鋼製フラットバーを先端がそれぞれ９０ｍｍ反対方向に突出するように溶着し、両縦枠の下方に鋼製のクランプをフラットバーの先端と同様に９０ｍｍ反対方向に突出するようにそれぞれ段違い状に溶着した。
【００２１】
次に、前記で作成した仮設足場用の先行安全保護装置を試験的に組み立てた仮設足場に取り付けた。図８は先行安全保護装置を試験的に組み立てた状態の一部を示す正面図である。まず、前記第１番目の先行安全保護装置の両フラットバーを仮設足場の第１段目の足場板の下方にあるブレス係止用ピンにそれぞれ係止し、第１番目の先行安全保護装置をそれぞれの建地にクランプ止めした。この状態で、第１番目の先行安全保護装置の下方の横枠が仮設足場の第１段目の足場板とほぼ同じ高さに平行に設置されていることが確認された。
【００２２】
次に、第２番目の先行安全保護装置の係止孔を第１番目の先行安全保護装置の突起部にそれぞれ係合させて第２番目の先行安全保護装置の両フラットバーを仮設足場の第２段目の足場板の下方にあるブレス係止用ピンにそれぞれ係止し、第２番目の先行安全保護装置をそれぞれの建地にクランプ止めした。以下同様にして隣接する第３番目、第４番目・・・の先行安全保護装置を取付けて、それぞれの先行安全保護装置が仮設足場に確実に取り付けられていることが確認できた。実際に作業員が足場板を渡って先行安全保護装置に寄りかかり、或いは鋼材を落下してパイプが変形したり外れることがないかを確認したところ、実務上の問題は生じないことが確認された。更に、従来の巾木を取付ける手間が省けて取付け時間が短縮され、且つ、取付作業中に先行安全保護装置が落下防止柵として作用し作業者が落下するのを防止する効果があることが確認された。第２実施の形態に係る先行安全保護装置についても実施したところ前記第１実施の形態に係る先行安全保護装置と同様の結果が得られた。加えて、クランプによる装着よりも格段に装着が容易で短時間に取り付けられることが確認できた。
【産業上の利用可能性】
【００２３】
本発明は、ビルや鉄塔などの建造物の建設・修理などに当たり建造物と適宜の間隔をおいて枠組みされた仮設足場に設置して、作業者や通行人などを安全に保護するための先行安全保護装置として不可欠のものであり、現在及び将来ともに需要が見込まれ経済的にも極めて有用である。
【符号の説明】
【００２４】
１：先行安全保護装置、２：縦枠、３：横枠、４：網体、５：板状係止部、６：装着部、７：突起部、８：係止孔、９：ピン孔、１０：ブレス係止用ピン，１１：フラットバー、１２：ブレス、１３：建地、１４：補助片、１５：装着部係止用ピン、１６：回転止め、１７：足場板、１８：溶接部、１９：建地挿入部
【図１】
2011163070.tif 000003
【図２】
2011163070.tif 000004
【図３】
2011163070.tif 000005
【図４】
2011163070.tif 000006
【図５】
2011163070.tif 000007
【図６】
2011163070.tif 000008
【図７】
2011163070.tif 000009
【図８】
2011163070.tif 000010